(57)【要約】【課題】薄型でコイルユニット下側にスペースがない場合でも、コイル周囲に発光表示部を構成し、発光基板上のコネクタなどの温度上昇を抑えること。【解決手段】加熱コイル４外周近傍に設けられた光源１１と光源１１に電源供給するコネクタ１２を有する発光基板１３と、光源１１およびその上部の発光面１４を側方から取り囲む枠体１５と、加熱コイル４を下方から支持するとともに枠体１５が設けられるコイルベース５と、コイルベースの５下には磁束漏れを防止する防磁板７とを備え、発光基板１３のコネクタ１２を枠体１５のコイル中心より見た外側で、かつコネクタ１２の上面が防磁板７より上になる位置に固定するとともに、コネクタ１２の上方にコイルベース５から延長して構成されるひさし１６を設けたこと。【選択図】図１
2014123427.tif 000002
【特許請求の範囲】
【請求項１】
本体上面に設けられ、調理容器を載置する天板と、
前記天板の下部に設けられた加熱コイルと、
前記加熱コイル外周近傍に設けられた光源と前記光源に電源供給するコネクタを有する発光基板と、
前記光源およびその上部の発光面を側方から取り囲む枠体と、
前記加熱コイルを下方から支持するとともに前記枠体が設けられるコイルベースと、
前記コイルベースの下には磁束漏れを防止する防磁板と、を備え、
前記発光基板の前記コネクタを前記枠体のコイル中心より見た外側で、かつ前記コネクタの上面が前記防磁板より上になる位置に固定するとともに、前記コネクタの上方に前記コイルベースから延長して構成されるひさしを設けた誘導加熱調理器。
【請求項２】
前記枠体と前記コイルベースを一体で構成するとともに、
前記コネクタの上方に前記枠体の上部より外側にひさしを延長した請求項１に記載の誘導加熱調理器。
【請求項３】
前記発光基板の前記光源と前記コネクタの間に位置する前記枠体の側壁に開口部を設けた請求項１または２に記載の誘導加熱調理器。
【請求項４】
前記防磁板上の前記発光基板が位置する部位には、開口穴を設けるとともに、前記防磁板外周には側壁を設け、前記発光基板が位置する近傍の前記防磁板の側壁をそれ以外の部分よりも低くした請求項１〜３のいずれか１項に記載の誘導加熱調理器。
【請求項５】
前記防磁板の形状を略長方形とし、前記発光基板および前記開口穴を前記防磁板のコーナー部に位置させ、前記防磁板のコーナー部の外周側壁の高さを直線部より低くした請求項４に記載の誘導加熱調理器。
【請求項６】
前記コイルベースの枠体の上部に設けた前記ひさしの一部に側壁を設けた請求項１〜５のいずれか１項に記載の誘導加熱調理器。
【請求項７】
前記コイルベースの枠体の上部に設けた前記ひさしより下方に縦壁を設け、前記防磁板と前記ひさしで風路を形成した請求項１〜６いずれか１項に記載の誘導加熱調理器。
【発明の詳細な説明】
【技術分野】
【０００１】
加熱コイル近傍で加熱位置や動作状態等を表示する発光表示部を有する誘導加熱調理器に関する。
【背景技術】
【０００２】
誘導加熱調理器は、ガス調理器や電気ヒータとは異なり加熱時に炎や赤熱が見えないので、近年は加熱状態を発光ダイオード等により発光表示して視覚的に訴える製品が普及してきている。一例として、誘導加熱が開始されると加熱コイル外周近傍に設けた発光表示部が点灯するようにしたものがある（例えば、特許文献１参照）。
【０００３】
前記従来の誘導加熱調理器の発光表示部は、例えば４図  に示すような構成のものがある。この構成（発光表示部のみ図示）は、外郭を形成する本体ケースとケース上面に設けられた光を透過させる材料で形成された天板と、天板の下部には調理容器を誘導加熱する加熱コイルが設けられている。加熱コイル周囲には、光源４１と基板底面裏側に接続部を有する発光基板４３と、前記発光基板４３を囲むように構成され上部に光を透過させる開口部を有する箱体４５と、光源４１の光を受けて光る表示シート４８が箱体４５上部に載置され、表示シート４８を発光表示させ、加熱コイルの位置や使用状態を表示する。
【０００４】
また、図５のように、発光基板４３を天板よりできるだけ遠い下側の位置に配置する構成もある。
【先行技術文献】
【特許文献】
【０００５】
【特許文献１】特開２０１０−２５７５７９号公報
【発明の概要】
【発明が解決しようとする課題】
【０００６】
しかしながら、従来の構成では、発光表示部は加熱コイルや天板上の加熱調理器からの熱影響を受けやすいため、発光基板は天板より遠ざけて、コイルやフェライトにより構成されているコイルユニットの高さ位置よりも、低い位置に固定する、あるいは、コネクタを熱の影響を受けにくい発光基板の裏側に配置し、冷却風も当りやすくするなどの対応が必要であった。
【０００７】
本体内に十分なスペースがあり、上記のような構成が取れる場合は、コイル周囲の発光表示部も冷却効果を得ることができているが、例えば海外等では主流である薄型のＩＨに同じようにコイル周りに発光表示部を搭載しようとした場合には、コイルユニットの直下には基板ユニットや基板ケースやカバーが配置され、十分なスペースが得られないので、今までの構成以上に天板に近い位置、すなわちコイルユニットを構成しているコイルやフェライトと同様の高さ位置に、発光基板やコネクタを配置し、かつ温度の上昇を抑制する必要があるという課題を有していた。
【０００８】
本発明は、前記従来の課題を解決するもので、薄型のＩＨのようにコイルより下側に十分なスペースが確保できない場合でも、コイルユニットを構成しているコイルやフェライトと同様の高さ位置の範囲で、発光基板やコネクタを配置し発光手段を構成しながらも、温度上昇を抑制し、発光基板の耐久性を高めた誘導加熱調理器を提供することを目的とする。
【課題を解決するための手段】
【０００９】
前記従来の課題を解決するために、本発明の誘導加熱調理器は、本体上面に設けられ調理容器を載置する天板と、前記天板の下部に設けられた加熱コイルと、前記加熱コイル外周近傍に設けられた光源と前記光源に電源供給するコネクタを有する発光基板と、前記光源およびその上部の発光面を側方から取り囲む枠体と、前記加熱コイルを下方から支持するとともに前記枠体が設けられるコイルベースと、前記コイルベースの下には磁束漏れを防止する防磁板と、を備え、前記発光基板の前記コネクタを前記枠体のコイル中心より見た外側で、かつ前記コネクタの上面が前記防磁板より上になる位置に固定するとともに、前記コネクタの上方に前記コイルベースから延長して構成されるひさしを設けた誘導加熱調理器とした。
【００１０】
このように、コネクタの上方にコイルベースから延長して構成されるひさしを設けたことにより、天板からコネクタに伝わる輻射熱を低減でき温度上昇を抑えることができるため、コネクタ上面を防磁板より上なる位置に配置でき、薄型のＩＨのようにコイルユニット下側にスペースがない場合でも、コイル周囲に発光表示部を構成することができる。
【００１１】
また、本発明の誘導加熱調理器は、発光基板が位置する部位の防磁板上に開口穴を開けるとともに、防磁板の外周には側壁を設け、前記発光基板が位置する近傍の防磁板の側壁をそれ以外の部分より低くする構成にしたもので、開口穴の下側から浸入した冷却風がひさしにあたって、防磁板の外周壁の低い部分から抜けていきやすくなり、風が流れることにより、発光基板上のコネクタや光源の冷却効果を上昇させることができる。
【発明の効果】
【００１２】
本発明の加熱調理器は、薄型のＩＨのようにコイルユニット下側にスペースがない場合でも、コイル周囲に発光表示部を構成することができ、発光基板上のコネクタなどの温度上昇を抑えることができる。
【図面の簡単な説明】
【００１３】
【図１】本発明の実施の形態１における誘導加熱調理器の断面図
【図２】本発明の実施の形態１における発光表示部の部分斜視図
【図３】本発明の実施の形態１における加熱コイルユニットの平面外観図
【図４】従来の誘導加熱調理器の発光表示部の断面図
【図５】従来の誘導加熱調理器の発光表示部の断面図
【発明を実施するための形態】
【００１４】
第１の発明は、本体上面に設けられ調理容器を載置する天板と、前記天板の下部に設けられた加熱コイルと、前記加熱コイル外周近傍に設けられた光源と前記光源に電源供給するコネクタを有する発光基板と、前記光源およびその上部の発光面を側方から取り囲む枠体と、前記加熱コイルを下方から支持するとともに前記枠体が設けられるコイルベースと、前記コイルベースの下には磁束漏れを防止する防磁板と、を備え、前記発光基板の前記コネクタを前記枠体のコイル中心より見た外側で、かつ前記コネクタの上面が前記防磁板より上になる位置に固定するとともに、前記コネクタの上方に前記コイルベースから延長して構成されるひさしを設けた誘導加熱調理器にすることにより、薄型のＩＨのようにコイルユニットのすぐ下側は基板ユニットおよびそのケースなどが配置されておりスペースがない場合でも、コイルベースから延長したひひさしにより、加熱時に天板から発光基板上のコネクタなどへ伝わる輻射熱を低減することができるので、コネクタを防磁板より上なる位置に配置し、コイル周囲に発光表示部を構成することができ、発光基板上のコネクタなどの温度上昇を抑えることができる。
【００１５】
第２の発明は、第１の発明の枠体と前記コイルベースを一体で構成するとともに、前記
コネクタの上方に前記枠体の上部から外側にひさしを延長したことにより、コイルベース、枠体、ひさしを一体で構成することにより、発光表示部をよりコンパクトに構成でき、組立性も向上できる。
【００１６】
第３の発明は、特に、第１または第２の発明で、前記発光基板の前記光源と前記コネクタの間に位置する前記枠体の側壁に開口部を設けたことにより、ひさしが光源から天板への光漏れを防止しながら、枠体内の熱気を外側へ排出し、発光基板の温度上昇を抑制することができる。
【００１７】
第４の発明は、特に、第１〜３のいずれか１つの発明で、前記防磁板上の前記発光基板が位置する部位に、開口穴を設けるとともに、前記防磁板の外周には側壁を設け、前記発光基板が位置する近傍の側壁をそれ以外の部分よりも低くしたことにより、防磁板の開口穴から流入してきた冷却風がひさしに当って側壁の低い部分から抜けやすくなり、風が流れることにより、発光基板上のコネクタの冷却効果が上昇する。
【００１８】
第５の発明は、特に、第４の発明で、前記防磁板の形状を略長方形とし、前記発光基板および前記開口穴を前記防磁板のコーナー部に位置させ、前記防磁板のコーナー部の外周壁の高さを直線部より低くしたことにより、防磁板の側壁により冷却風がコーナー部から抜けるように誘導されるので、発光基板上の部品の冷却効果が上がるとともに、コーナー部が低いので防磁板の加工もしやすくなる。
【００１９】
第６の発明は、特に、第１〜５のいずれか１つの発明で、前記コイルベースから延長した前記ひさしに下方に延びる側壁を設けたことにより、ひさしの変形を防止するとともに、開口穴から冷却風が側方に広がるのを防止し、よりコネクタ側へ流れやすくなるので冷却効果を上げることができる。
【００２０】
第７の発明は、特に、第１〜６のいずれか１つの発明で、前記コイルベースから延長したひさしより下方に縦壁を設け、前記防磁板と前記ひさしで風路を形成したことにより、冷却風の拡散をより防止でき、冷却したい部分を効率的冷却することができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における誘導加熱調理器の断面図であり、図２は本発明の実施の形態１における発光表示部の部分斜視図である。
【００２３】
外郭を構成する本体ケース１上面には、調理容器２を載置する天板３が設けられ、天板３の下部には調理容器２を誘導加熱する加熱コイル４が設けられている。加熱コイル４は、下方からコイルベース５により支持されており、加熱コイル４の下部には集磁性を有するフェライト６が放射状にコイルベース５に保持されている。
【００２４】
コイルベース５は、磁束漏れの影響をなくすために、防磁効果を有するアルミ等で作成された防磁板７上に載置され、防磁板７は、加熱コイル４側の空間と制御部側の空間を仕切るように設けられ、本体ケース１等に設けられたバネ８により、上方に力を加えられ、コイルベース５を介して加熱コイル４を支えながら、コイルベース５に取り付けられた防振ゴム９を天板３に押し付け、加熱コイル４と天板３のギャップを一定の距離に保つ構成となっている。
【００２５】
加熱コイル４外周近傍には、加熱コイル４の位置や加熱状態を示す発光表示部１０が設
けられている。加熱コイル４外周近傍の４角に設けた発光表示部１０は、ＬＥＤ等の発光素子からなる光源１１と光源１１に電源を供給するコネクタ１２を有する発光基板１３とその光源１１およびその上部の透過した光により図柄を表示する表示シートなどの発光面１４を側方から取り囲む枠体１５から構成されている。発光基板１３上のコネクタ１２は、枠体１５のコイル中心より見た外側で、かつコネクタ１２の上面が前記防磁板７より上なる位置に配置され、発光基板１３はビス締めによりコイルベース５に固定されている。枠体１５はコイルベース５と一体で構成するとともに、コネクタ１２上方に枠体１５の上部より外側にひさし１６を設けている。また、前記発光基板１３の光源１１とコネクタ１２の間に位置する枠体１５の側壁１７には、開口部１８を設けている。
【００２６】
一方、防磁板７は略四角形状で、発光基板１３がコーナー部に位置する形状であり、防磁板７上の発光基板１３が位置する部位には、開口穴１９が設けてあり、さらに前記防磁板７の外周には外周側壁２０を設け、発光基板１３およびひさし１６の位置するコーナー部の外周側壁２０の高さを直線部２１より、一段低くした構成としている。
【００２７】
また、コイルベース５の枠体１５の上部に設けたひさし１６には、下方に延びる側壁２２を設け、さらに部分的には防磁板７まで延びる縦壁２３を設け風路を形成している。
【００２８】
また、防磁板７の下側のスペースは、薄型のＩＨのため、基板および基板を囲む基板ケース２４で占められているが、発光基板１３上の光源１１やコネクタ１２は冷却する必要があるので、ファン２５による冷却風が一部が、発光基板１３にも回るように、発光基板１３下方の基板ケース２４には、冷却風吹き上げ用の開口穴１９や風向きを変えるダクト２７などを設けている。
【００２９】
以上のように構成された誘導加熱調理器について、以下その動作、作用を説明する。
天板３上の加熱位置に、調理容器２を載置し、加熱スイッチを加熱を開始させると、加熱コイル４近傍の発光基板１３上のコネクタ１２を経由して光源１１に通電され、発光表示部が点灯し、使用者が加熱状態や加熱ゾーンを認識することができる。また、加熱開始とともに、冷却用のファン２５も回り始め、おもに防磁板７の下のスペースに配置された基板ケース２４内の基板部品の冷却を行う。
【００３０】
発光表示部は、加熱位置を分かりやすく表示機能も有しており、できるだけ加熱コイル４近傍に配置され、加熱コイル４の発熱や調理容器２からの熱の影響を受けやすい。
しかしながら、コネクタ１２上方に枠体１５の上部より外側にひさし１６を設けているので、加熱時に天板から発光基板１３上のコネクタ１２などへ伝わる輻射熱を低減することができるので、コネクタ１２を防磁板７より上なる位置に配置した構成にしているが、発光基板１３上のコネクタ１２の温度上昇を抑えることができる。枠体１５は、コイルベース５とは別部品で樹脂色などを変えて作成することも可能であるが、本実施の形態では、スペースや組立性を優先してコイルベース５と一体で構成している。ひさし１６も、コイルベース５と一体で構成した枠体１５の上部から外側に延長することにより、発光表示部１０をよりコンパクトに構成でき、組立性も向上できる。
【００３１】
また、発光基板１３の光源１１とコネクタ１２の間に位置する枠体１５の側壁１７には、開口部１８を設けているので、ひさし１６が光源１１から天板への光漏れを防止しながら、枠体１５内の熱気を外側へ排出し、発光基板１３の温度上昇を抑制することができる。
【００３２】
基板ケース２４内の冷却風の一部は、基板ケース２４に設けられた開口穴１９や風向きを変えるダクト２７により、図１の一点鎖線で示す矢印のように、コイル外周近傍で防磁板７のコーナー部に配置された発光基板１３周囲に吹き上げられ、防磁板７の上に設けら
れた発光基板１３周囲の開口穴１９を通って、ひさし１６に当り、さらに防磁板７のコーナー部の外周側壁２０に導かれ、外周側壁２０の一段低い部分より冷却風が抜けていく。この冷却風の流れにより、発光基板１３上のコネクタ１２や光源１１の温度上昇を抑制することができ、部品の耐久性を上げることができる。
【００３３】
また、コイルベース５の枠体１５の上部に設けたひさし１６には、下方に延びる側壁２２を設け、さらに部分的には防磁板７まで延びる縦壁を設け風路を形成しているので、防磁板７の開口穴１９より流入した冷却風が周囲に広がりにくくなり、確実にコネクタ１２を冷却しながら防磁板７の外周側壁２０の低い部分より抜けていくので、さらに冷却効率を高めることができる。
【産業上の利用可能性】
【００３４】
以上のように、本発明にかかる誘導加熱調理器は、加熱コイルの位置や動作状態を発光表示する発光基板上のコネクタや光源の温度上昇を抑制し耐久性を確保することができるので、誘導加熱調理器に限らず発光手段を使用して発光表示するさまざまな装置に適用できる。
【符号の説明】
【００３５】
２  調理容器
３  天板
４  加熱コイル
５  コイルベース
７  防磁板
１１  光源
１２  コネクタ（接続部）
１３  発光基板
１４  発光面
１５  枠体
１６  ひさし
１７  側壁
１８  開口部
１９  開口穴
２０  外周側壁
２１  直線部
２２  側壁
２３  縦壁
【図１】
2014123427.tif 000003
【図２】
2014123427.tif 000004
【図３】
2014123427.tif 000005
【図４】
2014123427.tif 000006
【図５】
2014123427.tif 000007